(57)【要約】【課題】水泳の指導者などの、泳者に対する指導の効率を向上させることが可能なパドル及び水圧表示システムの提供。【解決手段】パドル１は、板状の本体１０と、本体１０に取り付けられ、本体１０の一方の面１１側に感圧面２２が配置されている圧力センサー２０と、を備えていることを特徴とする。【選択図】図１
2016198194.tif 000002
【特許請求の範囲】
【請求項１】
板状の本体と、
前記本体に取り付けられ、前記本体の一方の面側に感圧面が配置されている圧力センサーと、を備えていることを特徴とするパドル。
【請求項２】
前記圧力センサーからの検出信号に基づいて、前記一方の面側に加わる水圧の程度を報知する報知部を、更に備えていることを特徴とする請求項１に記載のパドル。
【請求項３】
前記圧力センサーからの検出信号を記憶する記憶部を、更に備えていることを特徴とする請求項１または請求項２に記載のパドル。
【請求項４】
前記圧力センサーからの検出信号を出力する出力部を、更に備えていることを特徴とする請求項１ないし請求項３のいずれか一項に記載のパドル。
【請求項５】
前記圧力センサーは、前記感圧面にゲルを有していることを特徴とする請求項１ないし請求項４のいずれか一項に記載のパドル。
【請求項６】
前記圧力センサーを、複数備えていることを特徴とする請求項１ないし請求項５のいずれか一項に記載のパドル。
【請求項７】
前記本体の前記一方の面とは表裏の関係にある他方の面に、手に装着するための装着部を、更に備えていることを特徴とする請求項１ないし請求項６のいずれか一項に記載のパドル。
【請求項８】
前記本体と接続されている柄を、更に備えていることを特徴とする請求項１ないし請求項６のいずれか一項に記載のパドル。
【請求項９】
請求項１ないし請求項８のいずれか一項に記載のパドルと、
前記パドルに備えられている圧力センサーからの検出信号を入力する入力部と、
入力された前記検出信号を表示する表示部と、を備えていることを特徴とする水圧表示システム。
【請求項１０】
通信ネットワークに接続可能な接続部を、更に備えていることを特徴とする請求項９に記載の水圧表示システム。
【発明の詳細な説明】
【技術分野】
【０００１】
本発明は、パドル及びこのパドルを備えている水圧表示システムに関する。
【背景技術】
【０００２】
従来、パドルとして、合成樹脂板を素材としたパドル本体を設け、パドル本体の面積は、手の親指を除く他の四本の指を、略閉じた状態の横幅寸法と、四本の指の略付け根付近から、中指の先端部付近までの縦幅寸法との積程度の適宜な大きさであり、パドル本体の先端部付近に、適宜な大きさを有する通穴を穿設し、且つ、通穴の後方部に、一対の紐通し用穴を穿設した構成の水泳練習用パドルが知られている（例えば、特許文献１参照）。
上記水泳練習用パドルは、泳者が通穴部分を常時中指の指先の腹で押圧しながら、この一点に集中して泳ぐことにより、水中での軌道や水の抵抗を細かいところまで鋭く感じることができ、理想のフォームに近づくことができるとされている。
【先行技術文献】
【特許文献】
【０００３】
【特許文献１】特開２０１４−７３１９１号公報
【発明の概要】
【発明が解決しようとする課題】
【０００４】
しかしながら、上記水泳練習用パドルは、泳者の手に加わる水圧（換言すれば、水を掻く力）の程度を、指導者などが把握することができないことから、泳者に対する指導の効率を向上させることが困難となる虞がある。
【課題を解決するための手段】
【０００５】
本発明は、上記課題の少なくとも一部を解決するためになされたものであり、以下の形態または適用例として実現することが可能である。
【０００６】
［適用例１］本適用例にかかるパドルは、板状の本体と、前記本体に取り付けられ、前記本体の一方の面側に感圧面が配置されている圧力センサーと、を備えていることを特徴とする。
【０００７】
これによれば、パドルは、板状の本体と、本体に取り付けられ、本体の一方の面側に感圧面が配置されている圧力センサーと、を備えていることから、本体の一方の面側に加わる水圧を検出することができる。
この結果、例えば、水泳の指導者などは、このパドルにより泳者の手に加わる水圧を把握することが可能となることから、フォームの修正など泳者に対する指導の効率を向上させることができる。
【０００８】
［適用例２］上記適用例にかかるパドルにおいて、前記圧力センサーからの検出信号に基づいて、前記一方の面側に加わる水圧の程度を報知する報知部を、更に備えていることが好ましい。
【０００９】
これによれば、パドルは、圧力センサーからの検出信号に基づいて、一方の面側に加わる水圧の程度を報知する報知部を、更に備えている。
これにより、パドルは、例えば、本体の一方の面側に加わる水圧が所定の圧力に達したとき（換言すれば、パドルを手に保持して泳ぐ泳者の、水を掻く力が所定の力に達したとき）に、それを（泳者に対して）報知することが可能となる。
この結果、例えば、水泳の指導者などは、このパドルにより泳者の手に加わる水圧の程度を把握することができることから、フォームの修正など泳者に対する指導の効率を向上させることができる。
【００１０】
［適用例３］上記適用例にかかるパドルにおいて、前記圧力センサーからの検出信号を記憶する記憶部を、更に備えていることが好ましい。
【００１１】
これによれば、パドルは、圧力センサーからの検出信号を記憶する記憶部を、更に備えていることから、例えば、水泳の指導者などは、記憶されている検出信号に基づいて、泳者の泳ぎを解析することができる。
この結果、水泳の指導者などは、フォームの修正など泳者に対する指導の効率を向上させることができる。
【００１２】
［適用例４］上記適用例にかかるパドルにおいて、前記圧力センサーからの検出信号を出力する出力部を、更に備えていることが好ましい。
【００１３】
これによれば、パドルは、圧力センサーからの検出信号を出力する出力部を、更に備えていることから、例えば、外部にこの検出信号を出力することができる。
【００１４】
［適用例５］上記適用例にかかるパドルにおいて、前記圧力センサーは、前記感圧面にゲルを有していることが好ましい。
【００１５】
これによれば、パドルは、圧力センサーが感圧面にゲルを有していることから、ゲルによって感圧面を水分や異物などから保護することができ、信頼性を向上させることができる。
【００１６】
［適用例６］上記適用例にかかるパドルにおいて、前記圧力センサーを、複数備えていることが好ましい。
【００１７】
これによれば、パドルは、圧力センサーを複数備えていることから、本体の一方の面側に加わる水圧を、複数箇所で検出することができる。
この結果、例えば、水泳の指導者などは、このパドルにより泳者の手に加わる水圧の程度を詳細に把握することができることから、フォームの修正など泳者に対する指導の効率を更に向上させることができる。
【００１８】
［適用例７］上記適用例にかかるパドルにおいて、前記本体の前記一方の面とは表裏の関係にある他方の面に、手に装着するための装着部を、更に備えていることが好ましい。
【００１９】
これによれば、パドルは、本体の一方の面とは表裏の関係にある他方の面に、手に装着するための装着部を、更に備えていることから、例えば、泳者が手に確実に装着して泳ぐことができる。
この結果、例えば、水泳の指導者などは、このパドルにより泳者の手に加わる水圧の程度を確実に把握することができることから、フォームの修正など泳者に対する指導の効率を向上させることができる。
【００２０】
［適用例８］上記適用例にかかるパドルにおいて、前記本体と接続されている柄を、更に備えていることが好ましい。
【００２１】
これによれば、パドルは、本体と接続されている柄を、更に備えていることから、例えば、ボート用のパドル（またはオール）として用いることができる。
この結果、例えば、ボート競技の指導者などは、このパドルに加わる水圧の程度を把握することができることから、パドル操作フォームの修正など漕手に対する指導の効率を向上させることができる。
【００２２】
［適用例９］本適用例にかかる水圧表示システムは、適用例１ないし適用例８のいずれか一例に記載のパドルと、前記パドルに備えられている圧力センサーからの検出信号を入力する入力部と、入力された前記検出信号を表示する表示部と、を備えていることを特徴とする。
【００２３】
これによれば、水圧表示システムは、上記適用例のいずれかのパドルと、パドルの圧力センサーからの検出信号を入力する入力部と、入力された検出信号を表示する表示部と、を備えている。
この結果、例えば、水泳の指導者などは、この水圧表示システムにより泳者の手に加わる水圧の程度を把握することができることから、フォームの修正など泳者に対する指導の効率を向上させることができる。
また、例えば、ボート競技の指導者などは、この水圧表示システムによりパドルに加わる水圧の程度を把握することができることから、パドル操作フォームの修正など漕手に対する指導の効率を向上させることができる。
【００２４】
［適用例１０］上記適用例にかかる水圧表示システムにおいて、通信ネットワークに接続可能な接続部を、更に備えていることが好ましい。
【００２５】
これによれば、水圧表示システムは、通信ネットワークに接続可能な接続部を、更に備えている。
この結果、例えば、水泳の指導者などは、この水圧表示システムにより、遠隔地にいる泳者の手に加わる水圧の程度を、通信ネットワークを介して把握することができることから、フォームの修正など遠隔地にいる泳者に対する指導の効率を向上させることができる。
また、例えば、ボート競技の指導者などは、この水圧表示システムにより、遠隔地にいる漕手のパドルに加わる水圧の程度を、通信ネットワークを介して把握することができることから、パドル操作フォームの修正など遠隔地にいる漕手に対する指導の効率を向上させることができる。
【図面の簡単な説明】
【００２６】
【図１】第１実施形態のパドルの模式図であり、（ａ）は一方の面側から見た平面図、（ｂ）は（ａ）の矢印Ａ方向から見た側面図、（ｃ）は一方の面とは表裏の関係にある他方の面側から見た平面図。
【図２】図１（ａ）のＢ−Ｂ線での模式断面図。
【図３】第１実施形態のパドルの構成ブロック図。
【図４】パドルの記憶部に記憶されている水圧の変化を時系列に示したグラフ。
【図５】第２実施形態のパドルの構成ブロック図。
【図６】第３実施形態のパドルの模式図であり、（ａ）は一方の面側から見た平面図、（ｂ）は（ａ）の矢印Ａ方向から見た側面図、（ｃ）は一方の面とは表裏の関係にある他方の面側から見た平面図。
【図７】水圧表示システムの一例を示す構成ブロック図。
【図８】水圧表示システムの他の一例を示す構成ブロック図。
【発明を実施するための形態】
【００２７】
以下、本発明を具体化した実施形態について図面を参照して説明する。
【００２８】
（第１実施形態）
最初に、第１実施形態のパドルについて説明する。
図１は、第１実施形態のパドルの模式図であり、図１（ａ）は、一方の面側から見た平面図、図１（ｂ）は、図１（ａ）の矢印Ａ方向から見た側面図、図１（ｃ）は、一方の面とは表裏の関係にある他方の面側から見た平面図である。なお、図１は、三角法で記載されている。図２は、図１（ａ）のＢ−Ｂ線での模式断面図である。図３は、第１実施形態のパドルの構成ブロック図である。なお、わかり易くするために、各構成要素の寸法比率は、実際と異なる。
【００２９】
図１、図２に示すように、パドル１は、主に水泳の練習に用いられるパドルであって、略矩形で平板状の本体１０と、本体１０に取り付けられ、本体１０の一方の面１１側に感圧面２２が配置され、本体１０の一方の面１１側に加わる水圧を検出する複数（ここでは５つ）の圧力センサー２０と、を備えている。加えて、パドル１は、圧力センサー２０からの検出信号に基づいて、一方の面１１側に加わる水圧の程度を報知する報知部３０を、更に備えている。
また、パドル１は、本体１０の一方の面１１とは表裏の関係にある他方の面１２に、手に装着するための装着部４０を、更に備えている。
装着部４０は、例えば、伸縮する帯状のバンドなどからなり、複数の指が通るようにアーチ状の弛みを持たせた状態で、複数のねじなどにより本体１０に固定されている。
【００３０】
パドル１の平面サイズは、図１（ｃ）に２点鎖線で示した標準的な人間の手（掌）のサイズと略等しくなっている。泳者は、本体１０の他方の面１２に備えられた装着部４０に人差し指、中指、薬指を通すことにより、パドル１を装着することができる。なお、装着部４０は、人差し指、中指、薬指の内、いずれか２本または１本を通す構成であってもよい。
５つの圧力センサー２０は、例えば、図１（ｃ）における親指、中指、小指の各先端部と、手首側の両端部とに対応する一方の面１１側の５箇所に設けられている。
なお、図１に示したパドル１は、右手用であるが、５つの圧力センサー２０及び装着部４０を、本体１０の長辺に沿って延びる対称軸を挟んで、右手用と線対称の位置に設けることにより左手用とすることができる。
泳者は、右手用と左手用のパドル１をそれぞれの手に装着することにより、水泳の練習に用いることができる。
【００３１】
図３に示すように、パドル１は、圧力センサー２０と、報知部３０と、制御部５０と、変換部６０と、記憶部７０と、電源部８０と、電源スイッチ部８１と、を備えている。
制御部５０は、圧力センサー２０、報知部３０、変換部６０、記憶部７０などを制御する。変換部６０は、制御部５０からの制御信号により、圧力センサー２０からの検出信号を、変換テーブルなどに基づいて電圧値や電流値から水圧値に変換する。
記憶部７０は、制御部５０からの制御信号により、圧力センサー２０からの検出信号を、電圧値や電流値のまま、または変換部６０により変換された水圧値として時系列に記憶する。記憶部７０は、例えば、ＳＤメモリーカードなどのカード型の記憶装置を用いることにより、本体１０からの脱着が可能である。
【００３２】
電源部８０は、一次電池または二次電池を備え、上記各部などに電源を供給し、電源スイッチ部８１は、外部からの操作または水分検知（詳細後述）により、電源部８０から上記各部などへの電源の供給を開始／停止する。
なお、圧力センサー２０からの検出信号を、電圧値や電流値のまま記憶部７０に記憶する場合には、変換部６０は不要となる。
【００３３】
図１、図２に戻って、本体１０は、一方の面１１側の第１ケース１０ａと、他方の面１２側の第２ケース１０ｂと、に分割されている。第１ケース１０ａ及び第２ケース１０ｂの材質としては、特に限定されないが、ＡＢＳ（アクリロニトリルブタジエンスチレン）、ＰＣ（ポリカーボネート）などの樹脂単体や、ＡＢＳ、ＰＣなどの樹脂にガラス繊維を混合し、機械的強度を向上させたガラス繊維入り樹脂が挙げられる。
第１ケース１０ａは、一方の面１１とは反対側に、圧力センサー２０の主要部を収容する凹状の収容部１３と、圧力センサー２０が固着されている基板２３を案内し位置決めする位置決め部１４と、基板２３を固定する固定部１５と、を備えている。
収容部１３には、圧力センサー２０の感圧面２２と対向する位置に、一方の面１１側に貫通する貫通孔１６が設けられている。
【００３４】
第２ケース１０ｂは、他方の面１２側に、基板２３の他方の面１２側に設けられた電源スイッチ部８１の電源スイッチを、押圧して入り／切りする電源ボタン８２を案内するボタン案内部１７と、他方の面１２とは反対側に、報知部３０を取り付ける報知部固定部１８と、を備えている。
第１ケース１０ａと第２ケース１０ｂとは、外周部の全周に亘って配置された防水パッキン１９ａを介して互いに重ね合され、図示しない複数のねじにより互いに固定されている。
これにより、パドル１は、第１ケース１０ａと第２ケース１０ｂとの間の防水性が確保されている。
【００３５】
圧力センサー２０は、センサー素子２１と、センサー素子２１を収容するハウジング２４と、ハウジング２４内に充填され、センサー素子２１を覆うゲル２５と、を備え、基板２３に固着されている。これにより、圧力センサー２０は、センサー素子２１の感圧面２２にゲル２５を有していることになる。なお、ゲル２５の種類としては、特に限定されないが、フッ素ゲルや、フロロシリコーンゲル、シリコーンゲルなどが挙げられる。
【００３６】
センサー素子２１は、例えば、半導体を用いたダイアフラム型の圧力検出素子であって、金属ワイヤーによって接続されている基板２３のセンサー端子２６，２７に、印加された圧力に応じた検出信号が出力される構成となっている。
具体的には、センサー素子２１は、印加された圧力（歪み）に応じて抵抗値が変化する複数のピエゾ抵抗素子を用いて、圧力検出用回路としてホイートストンブリッジ回路が構成され、センサー端子２６，２７間に、印加された圧力に応じた電位差が検出信号として出力される構成となっている。
【００３７】
第１ケース１０ａの収容部１３の周囲には、収容部１３の全周に亘って防水パッキン１９ｂが配置され、圧力センサー２０のハウジング２４と第１ケース１０ａとの間の防水性が確保されている。なお、圧力センサー２０自体（センサー素子２１）の防水性は、ゲル２５によって確保されている。
基板２３には、例えば、２つの位置決め穴２８が設けられ、２つの位置決め穴２８に第１ケース１０ａの２つの位置決め部１４の位置決めピン１４ａが、それぞれ挿入されることにより、基板２３の平面方向が位置決めされる。基板２３の厚み方向は、ハウジング２４や、位置決め部１４の位置決めピン１４ａの段差部１４ｂにより位置決めされる。
基板２３は、第１ケース１０ａの複数の固定部１５（袋状（非貫通）の孔部分）と対向する位置に貫通孔が設けられ、タッピングねじなどのねじ２９を介してハウジング２４と一緒に第１ケース１０ａの固定部１５に固定されている。
【００３８】
基板２３の、一方の面１１側や他方の面１２側には、制御部５０、変換部６０及び記憶部７０などを構成する回路素子１００などが配置されている。なお、記憶部７０を構成する回路素子１００などは、図示しない脱着用の蓋部の近傍に設けられている。この蓋部の近傍には、電源部８０の一次電池または二次電池が、着脱可能な状態で配置されている。
なお、図示しない蓋部には、防水パッキンが取り付けられ、第１ケース１０ａまたは第２ケース１０ｂとの間の防水性が確保されている。
【００３９】
基板２３の、他方の面１２側には、第２ケース１０ｂのボタン案内部１７と対向する位置に電源スイッチ部８１が配置されている。
第２ケース１０ｂのボタン案内部１７は、他方の面１２側から凹状に設けられ、底部に貫通孔１７ａが設けられている。
電源ボタン８２は、例えば、金属製の略丸棒状のボタン軸８２ａと、樹脂製の略円板状のボタン体８２ｂとが、射出成形法によりインサート成形されて一体となっている。
ボタン軸８２ａは、貫通孔１７ａに挿入され、貫通孔１７ａとの摺動部に防水パッキン１９ｃが取り付けられている。これにより、パドル１は、電源ボタン８２と第２ケース１０ｂとの間の防水性が確保されている。
【００４０】
電源ボタン８２は、ボタン案内部１７に案内され、ボタン軸８２ａが貫通孔１７ａに挿入された状態で、ボタン軸８２ａの先端部にＥリング８２ｃが嵌め込まれることにより、厚み方向に摺動可能な状態で第２ケース１０ｂに取り付けられている。
ボタン体８２ｂとボタン案内部１７の底部との間には、電源ボタン８２を常に他方の面１２側に押し戻すコイルばね状の戻しばね８２ｄが配置されている。これにより、パドル１は、水圧などにより電源ボタン８２が誤操作されることを低減できる。
また、第２ケース１０ｂの他方の面１２における電源ボタン８２の周囲部分は、意図しない誤操作を回避するために、他方の面１２から電源ボタン８２が突出しない形状に形成されている。
【００４１】
パドル１は、電源ボタン８２を押圧することにより、ボタン軸８２ａの先端部が、電源スイッチ部８１の電源スイッチを押圧し、入り／切りすることができる。これにより、パドル１は、図３に示す電源部８０から各部への電源の供給を開始／停止することができる。
なお、電源スイッチ部８１は、図２に２点鎖線で示すように、先端部が第１ケース１０ａから露出し、基板２３の２つのスイッチ端子８３と接続された２本の水分検知ピン８４が、水中で水分により短絡する（水分検知）／大気中で絶縁分離することにより、電源スイッチが入り／切りする構成としてもよい。
【００４２】
これによれば、パドル１は、水中に出し入れするだけで電源スイッチを入り／切りすることができる。なお、泳法によっては、パドル１が周期的に大気中に露出することがあるが、露出時間が一定時間内であれば電源スイッチが切れないように制御部５０で制御することにより、水圧不検出などの不具合を回避できる。
【００４３】
報知部固定部１８は、第２ケース１０ｂの他方の面１２とは反対側に凹状に設けられ、図示しない固定部材により報知部３０が固定されている。
報知部３０は、例えば、回転軸に偏心した錘が取り付けられた略円筒型の振動モーターからなり、周囲よりも厚みが薄くなっている報知部固定部１８を介して泳者の手に振動が伝わる（報知する）構成となっている。
報知部３０は、制御部５０からの制御信号により、本体１０の一方の面１１側に加わる水圧（圧力センサー２０に加わる水圧）が、所定の値に達すると振動して報知する。
なお、報知部３０は、本体１０から独立して構成され、外側に延出していてもよい（例えば、泳者の水着に装着可能な形態であってもよい）。
【００４４】
図４は、パドルの記憶部に記憶されている水圧の変化を時系列に示したグラフである。紙面上側は、右手に装着されていたパドルの水圧データであり、紙面下側は、左手に装着されていたパドルの水圧データである。グラフの縦軸は水圧を表し、横軸は時間（秒）を表している。５本の線は、５つの圧力センサー２０のそれぞれに印加された水圧を示している。なお、この水圧データは、泳者がクロールの練習をしたときのものである。この際、パドル１は、制御部５０により右手用、左手用で互いに同期が取られている。
【００４５】
パドル１は、例えば、図４のグラフにおいて、右手用、左手用のそれぞれで、ピーク時の水圧Ｐ１（Ｐ３）が、５つとも所定の圧力以上であり、且つピーク時の水圧Ｐ１（Ｐ３）のばらつきＰ２（Ｐ４）が、所定の圧力以内であった場合に、制御部５０からの制御信号により、報知部３０が振動して所定の値に達したことを泳者に報知する。なお、所定の圧力は、指導者や上級泳者などのデータを参考にして適宜設定される。
なお、報知部３０は、振動の他に、音（例えば、圧電ブザー）や光（例えば、ＬＥＤの点灯や点滅）によって報知する構成、またはそれらを組み合わせた構成としてもよい。
なお、図４の縦軸は、変換部６０によって変換された水圧値ではなく、変換前の電位差値であってもよい。
【００４６】
上述したように、第１実施形態のパドル１は、板状の本体１０と、本体１０に取り付けられ、本体１０の一方の面１１側に感圧面２２が配置されている圧力センサー２０と、を備えていることから、本体１０の一方の面１１側に加わる水圧を検出することができる。
この結果、例えば、水泳の指導者などは、このパドル１により泳者の手に加わる水圧を把握することが可能となることから、フォームの修正など泳者に対する指導の効率を向上させることができる。
【００４７】
また、パドル１は、圧力センサー２０からの検出信号に基づいて、水圧の程度を報知する報知部３０を、更に備えていることから、例えば、本体１０の一方の面１１側に加わる水圧が所定の圧力に達したとき（換言すれば、パドル１を手に保持して泳ぐ泳者の、水を掻く力が所定の力に達したとき）に、それを（泳者に対して）報知することが可能となる。
この結果、例えば、水泳の指導者などは、このパドル１により泳者の手に加わる水圧の程度を把握することができることから、フォームの修正など泳者に対する指導の効率を向上させることができる。
【００４８】
また、パドル１は、圧力センサー２０からの検出信号を記憶する記憶部７０を、更に備えていることから、例えば、水泳の指導者などは、記憶されている検出信号に基づいて、泳者の泳ぎを解析することができる。
この結果、水泳の指導者などは、フォームの修正など泳者に対する指導の効率を向上させることができる。
【００４９】
また、パドル１は、圧力センサー２０が感圧面２２にゲル２５を有していることから、ゲル２５によって感圧面２２を水分や異物などから保護することができ、信頼性を向上させることができる。
【００５０】
また、パドル１は、圧力センサー２０を複数（ここでは５つ）備えていることから、本体１０の一方の面１１側に加わる水圧を、複数箇所（ここでは５箇所）で検出することができる。
この結果、例えば、水泳の指導者などは、このパドル１により泳者の手に加わる水圧の程度を詳細に把握する（具体的には、それぞれの箇所の水圧の変化と、各箇所間の水圧のばらつき具合とを把握する）ことができることから、フォームの修正など泳者に対する指導の効率を更に向上させることができる。
【００５１】
また、パドル１は、本体１０の一方の面１１とは表裏の関係にある他方の面１２に、手に装着するための装着部４０を、更に備えていることから、例えば、泳者が手に確実に装着して泳ぐことができる。
この結果、例えば、水泳の指導者などは、このパドル１により泳者の手に加わる水圧の程度を確実に把握することができることから、フォームの修正など泳者に対する指導の効率を向上させることができる。
【００５２】
なお、パドル１は、図１では圧力センサー２０を５つ備えているが、１つ〜４つでもよく、６つ以上であってもよい。
また、パドル１の本体１０は、図示のような平板状ではなく、例えば、一方の面１１側へ湾曲した形状としてもよい。また、本体１０の平面形状は、矩形状ではなく掌の形状に沿った曲線形状としてもよい。
なお、パドル１は、泳者が本体１０を手で保持出来るのであれば、装着部４０はなくてもよい。
また、装着部４０は、本体１０に複数の貫通孔を設け、この貫通孔間に挿通されたリング状の弾性部材を用いることにより、リング状の弾性部材と本体１０との間の略半円状の空間に泳者の指が通り、泳者の手に装着可能となる構成としてもよい。
【００５３】
（第２実施形態）
次に、第２実施形態のパドルについて説明する。
図５は、第２実施形態のパドルの構成ブロック図である。なお、第１実施形態との共通部分には、同一の符号を付して詳細な説明を省略し、第１実施形態と異なる部分を中心に説明する。
【００５４】
図５に示すように、第２実施形態のパドル２は、第１実施形態と比較して、圧力センサー２０からの検出信号を出力する出力部９０を、更に備えている。
これにより、パドル２は、制御部５０からの制御信号により、記憶部７０に記憶されている、圧力センサー２０からの検出信号を変換した水圧値、または変換前の電位差値を、出力部９０から外部に出力することができる。
【００５５】
（第３実施形態）
次に、第３実施形態のパドルについて説明する。
図６は、第３実施形態のパドルの模式図であり、図６（ａ）は、一方の面側から見た平面図、図６（ｂ）は、図６（ａ）の矢印Ａ方向から見た側面図、図６（ｃ）は、一方の面とは表裏の関係にある他方の面側から見た平面図である。なお、第１実施形態との共通部分には、同一の符号を付して詳細な説明は省略し、第１実施形態と異なる部分を中心に説明する。
【００５６】
図６に示すように、第３実施形態のパドル３は、第１実施形態の装着部４０に代えて、本体１０と接続されている柄１１０を備えている。
柄１１０は、丸棒状に形成され、本体１０の長手方向に沿って延びている。
これによれば、パドル３は、本体１０と接続されている柄１１０を備えていることから、例えば、ボート（競技用ボート、カヌー及びカヤックなど）練習用のパドル（またはオール）として用いることができる。
この結果、例えば、ボート競技の指導者などは、このパドル３に加わる水圧の程度を把握することができることから、パドル操作フォームの修正など漕手に対する指導の効率を向上させることができる。
【００５７】
なお、パドル３は、柄１１０の両端にそれぞれ接続されていてもよい。また、柄１１０は、本体１０から着脱可能に構成されていてもよい。なお、パドル３は、図６では圧力センサー２０を３つ備えているが、１つまたは２つでもよく、４つ以上であってもよい。
【００５８】
（第４実施形態）
次に、第４実施形態として、上述したパドルを用いた水圧表示システムについて説明する。
図７は、水圧表示システムの一例を示す構成ブロック図である。
【００５９】
図７に示すように、水圧表示システム５は、上述したパドルのいずれか（ここでは、一例としてパドル２とする）と、パドル２に備えられている圧力センサー２０からの検出信号を表示する表示ユニット５０１と、を備えている。
表示ユニット５０１は、入力部５１０と、制御部５２０と、変換部５３０と、表示部５４０と、を備えている。なお、電源部、記憶部などは、便宜的に省略してある。
【００６０】
制御部５２０は、入力部５１０、変換部５３０、表示部５４０などを制御する。
入力部５１０は、パドル２の出力部９０と有線または無線で接続され、制御部５２０からの制御信号により、パドル２の出力部９０から出力された圧力センサー２０からの検出信号（変換部６０で変換された水圧値または変換前の電位差値）を入力する。
変換部５３０は、制御部５２０からの制御信号により、入力部５１０に入力された圧力センサー２０からの検出信号を、変換テーブルなどに基づいて電位差値から水圧値に変換する。なお、入力された圧力センサー２０からの検出信号が、すでに水圧値に変換されている場合には、変換部５３０は不要となる。
表示部５４０は、制御部５２０からの制御信号により、入力された圧力センサー２０からの検出信号を、例えば、図４のように時系列に表示する。
なお、表示ユニット５０１としては、パーソナルコンピューターや、スマートホン、タブレット（多機能携帯端末）などを利用してもよい。
【００６１】
これによれば、水圧表示システム５は、上述したパドルのいずれか（ここでは、パドル２）と、パドル２の圧力センサー２０からの検出信号を入力する入力部５１０と、入力された検出信号を表示する表示部５４０と、を備えている。
この結果、例えば、水泳の指導者などは、この水圧表示システム５により泳者の手に加わる水圧の程度を詳細に把握することができることから、フォームの修正など泳者に対する指導の効率を更に向上させることができる。
また、例えば、ボート競技の指導者などは、パドル２をパドル３にすることで、この水圧表示システム５によりパドル３に加わる水圧の程度を詳細に把握することができることから、パドル操作フォームの修正など漕手に対する指導の効率を更に向上させることができる。
【００６２】
なお、水圧表示システム５に、パドル２に代えてパドル１を用いる場合には、記憶部７０にカード型の記憶装置を用いることにより、圧力センサー２０からの検出信号を、カード型の記憶装置を介して入力部５１０に入力することが可能となる。
【００６３】
（第５実施形態）
次に、第５実施形態として、上述した水圧表示システムの派生タイプである他の水圧表示システムについて説明する。
図８は、水圧表示システムの他の一例を示す構成ブロック図である。
【００６４】
図８に示すように、水圧表示システム６は、表示ユニット５０２が、第４実施形態の表示ユニット５０１に対して、例えば、インターネットなどの通信ネットワークＮに接続可能な接続部５５０を、更に備えている。
水圧表示システム６の接続部５５０は、通信ネットワークＮと有線または無線により接続されている。
【００６５】
これによれば、例えば、水泳の指導者などは、この水圧表示システム６により、遠隔地にいる泳者の手に加わる水圧の程度を、通信ネットワークＮを介して詳細に把握することができることから、フォームの修正など遠隔地にいる泳者に対する指導の効率を更に向上させることができる。
また、例えば、ボート競技の指導者などは、パドル２をパドル３にすることで、この水圧表示システム６により、遠隔地にいる漕手のパドル３に加わる水圧の程度を、通信ネットワークＮを介して詳細に把握することができることから、パドル操作フォームの修正など遠隔地にいる漕手に対する指導の効率を更に向上させることができる。
【００６６】
なお、水圧表示システム６は、パドル２側にも接続部５５０を設け、通信ネットワークＮを介して遠隔地の表示ユニット５０２と接続し、遠隔地の表示ユニット５０２に圧力センサー２０からの検出信号を表示させる構成としてもよい。
【符号の説明】
【００６７】
１，２，３…パドル、５，６…水圧表示システム、１０…本体、１０ａ…第１ケース、１０ｂ…第２ケース、１１…一方の面、１２…他方の面、１３…収容部、１４…位置決め部、１４ａ…位置決めピン、１４ｂ…段差部、１５…固定部、１６…貫通孔、１７…ボタン案内部、１７ａ…貫通孔、１８…報知部固定部、１９ａ，１９ｂ，１９ｃ…防水パッキン、２０…圧力センサー、２１…センサー素子、２２…感圧面、２３…基板、２４…ハウジング、２５…ゲル、２６，２７…センサー端子、２８…位置決め穴、２９…ねじ、３０…報知部、４０…装着部、５０…制御部、６０…変換部、７０…記憶部、８０…電源部、８１…電源スイッチ部、８２…電源ボタン、８２ａ…ボタン軸、８２ｂ…ボタン体、８２ｃ…Ｅリング、８２ｄ…戻しばね、８３…スイッチ端子、８４…水分検知ピン、９０…出力部、１００…回路素子、１１０…柄、５０１，５０２…表示ユニット、５１０…入力部、５２０…制御部、５３０…変換部、５４０…表示部、５５０…接続部、Ｎ…通信ネットワーク。
【図１】
2016198194.tif 000003
【図２】
2016198194.tif 000004
【図３】
2016198194.tif 000005
【図４】
2016198194.tif 000006
【図５】
2016198194.tif 000007
【図６】
2016198194.tif 000008
【図７】
2016198194.tif 000009
【図８】
2016198194.tif 000010